(57)【要約】【課題】演出スイッチの操作率を高めると共に、演出スイッチ操作後における遊技者のがっかり感を低減させる。【解決手段】変動している演出図柄を外れ配列で一旦停止させ、所定時間内に演出スイッチＳの操作が有り、かつ、特別図柄抽選の結果が当りのときは、一旦停止した外れ配列の演出図柄を、第一の救済当り演出を用いて当り配列にし、所定時間内に演出スイッチＳの操作が無く、かつ、特別図柄抽選の結果が当りのときは、一旦停止した外れ配列の演出図柄を、第二の救済当り演出を用いて当り配列にする。【選択図】図６
2007202744.tif 000002
【特許請求の範囲】
【請求項１】
特別図柄抽選に係る演出図柄を変動表示する演出図柄表示装置と、該演出図柄表示装置を表示制御する演出図柄表示制御部と、遊技者によって操作される演出スイッチとを備える遊技機において、
前記演出図柄表示制御部は、
変動している演出図柄を外れ配列で一旦停止させる外れ一旦停止制御手段と、
特別図柄抽選の結果が外れのとき、一旦停止した外れ配列の演出図柄を確定させる外れ確定演出制御手段と、
演出図柄が外れ配列で一旦停止した後、所定時間内に前記演出スイッチの操作が有り、かつ、特別図柄抽選の結果が当りのとき、一旦停止した外れ配列の演出図柄を、第一の救済当り演出を用いて当り配列にする第一の救済当り演出制御手段と、
演出図柄が外れ配列で一旦停止した後、所定時間内に前記演出スイッチの操作が無く、かつ、特別図柄抽選の結果が当りのとき、一旦停止した外れ配列の演出図柄を、第二の救済当り演出を用いて当り配列にする第二の救済当り演出制御手段と
を備えることを特徴とする遊技機。
【発明の詳細な説明】
【技術分野】
【０００１】
本発明は、パチンコ遊技機、スロットマシンなどの遊技機に関し、特に、遊技者によって操作される演出スイッチ（演出ボタン）を備えた遊技機に関する。
【背景技術】
【０００２】
近年、遊技者によって操作される演出スイッチを上皿などに備え、該演出スイッチの操作により、遊技者の遊技に対する参加意識を高め遊技機が増えている（例えば、特許文献１参照）。この種の遊技機は、演出スイッチに内装されたランプの点灯や、液晶画面の表示により、演出スイッチの操作タイミングを指示し、この指示に応じて演出スイッチが操作されたら、演出スイッチの操作に連動した演出を行うように構成されている。例えば、特別図柄抽選に係る演出図柄の変動中に演出スイッチの操作を指示し、当該スイッチ操作に応じてリーチ、スーパーリーチ、大当りなどを予告する演出や、スーパーリーチ中に演出スイッチの連打を指示し、当該スイッチ連打に応じて画像を連動させる演出が行われている。
【特許文献１】特開２００４−２４２７４８号公報
【発明の開示】
【発明が解決しようとする課題】
【０００３】
しかしながら、従来の遊技機では、演出スイッチ操作の有無による演出内容の差異が小さいので、その演出に飽きると、演出スイッチの操作率が著しく低下してしまうという問題がある。また、従来の遊技機では、特別図柄抽選に係る演出図柄の変動中に演出スイッチの操作を要求すると共に、演出スイッチの操作に連動した演出により大当りに対する期待感を高めているが、演出スイッチを操作したにも拘わらず、演出図柄が外れ配列で停止した場合、遊技者のがっかり感を増幅させる可能性がある。
【課題を解決するための手段】
【０００４】
本発明は、上記の如き実情に鑑みこれらの課題を解決することを目的として創作されたものであって、特別図柄抽選に係る演出図柄を変動表示する演出図柄表示装置と、該演出図柄表示装置を表示制御する演出図柄表示制御部と、遊技者によって操作される演出スイッチとを備える遊技機において、前記演出図柄表示制御部は、変動している演出図柄を外れ配列で一旦停止させる外れ一旦停止制御手段と、特別図柄抽選の結果が外れのとき、一旦停止した外れ配列の演出図柄を確定させる外れ確定演出制御手段と、演出図柄が外れ配列で一旦停止した後、所定時間内に前記演出スイッチの操作が有り、かつ、特別図柄抽選の結果が当りのとき、一旦停止した外れ配列の演出図柄を、第一の救済当り演出を用いて当り配列にする第一の救済当り演出制御手段と、演出図柄が外れ配列で一旦停止した後、所定時間内に前記演出スイッチの操作が無く、かつ、特別図柄抽選の結果が当りのとき、一旦停止した外れ配列の演出図柄を、第二の救済当り演出を用いて当り配列にする第二の救済当り演出制御手段とを備えることを特徴とする。
このようにすると、演出スイッチ操作の有無に応じて演出内容を大きく相違させることができるので、演出スイッチの操作率を高めることができる。しかも、演出図柄が外れ配列で停止した後の演出スイッチ操作に応じて救済当り演出を行うので、仮に大当りにならなくても、遊技者のがっかり感が増幅することはない。
【発明の効果】
【０００５】
以上のような構成によれば、演出図柄が外れ配列で停止した後の救済当り演出を複数種類備え、演出スイッチ操作の有無に応じて救済当り演出の種類を切り換えるので、演出スイッチ操作の有無に応じて演出内容を大きく相違させ、演出スイッチの操作率を高めることができる。しかも、演出図柄が外れ配列で停止した後の演出スイッチ操作に応じて救済当り演出を行うので、仮に大当りにならなくても、遊技者のがっかり感が増幅することはない。
【発明を実施するための最良の形態】
【０００６】
［遊技機の全体構成］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００７】
パチンコ遊技機１の正面部は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０と、遊技者によって操作される演出スイッチＳとを備えており、また、パチンコ遊技機１の背面部は、払出用の遊技球を溜める遊技球タンク１１と、遊技球タンク１１内の遊技球を上皿６に払い出す賞球払出装置１２と、遊技球を発射する発射モータ１３と、後述する各種の基板とを備えている。尚、演出スイッチＳとしては、押しボタン型の操作スイッチが好適であるが、例えば、タッチスイッチなどの他のスイッチ類を適用してもよい。
【０００８】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニットなどで構成され、演出図柄変動表示の他、リーチ予告演出表示、スーパーリーチ演出表示、大当り演出表示などを行う。
【０００９】
［遊技機の基本動作］
上皿６に遊技球が溜った状態で発射ハンドル８を回し操作すると、遊技盤４に向けて遊技球が発射される。発射された遊技球が始動口１４や入賞口に入賞した場合は、所定個数の遊技球が賞球として払い出される。また、遊技球がゲートを通過したときは、普通図柄表示装置２０において普通図柄の変動表示が行われ、その停止図柄が所定の当り図柄である場合は、始動口１４に設けられる普通電動役物１４ａが所定時間にわたって開放動作される。また、遊技球が始動口１４に入賞したときは、特別図柄表示装置１８及び演出図柄表示装置１９において特別図柄及び特別図柄に係る演出図柄の変動表示が行われ、これらの図柄が予め決められた当り配列で停止すると、遊技者が多くの遊技球を獲得可能な大当りモードとなる。
以下、大当りの開始、終了などを契機として切換えられるパチンコ遊技機１の各種遊技モードについて、図４を参照して説明する。
【００１０】
（１）通常遊技モード
このモードでは、特別図柄抽選における２段階の大当り確率のうち、低確率（例えば、１／３００）が適用される。また、このモードでは、普通図柄の抽選サイクルが長くなっている。
（２）大当りモード
このモードは、特別図柄（演出図柄）が予め決められた当り配列で停止したときに実行され、大入賞口１５に設けられる特別電動役物１５ａの開放動作が行われる。この開放動作は、所定時間の経過（例えば、３０秒）又は所定個数の入賞（例えば、１０球）を１ラウンドとし、所定のラウンド数（例えば、１５ラウンド）に亘って繰り返される。
（３）確率変動モード
このモードは、大当りモードが終了した後、所定の確率（例えば、１／２）で実行される。すなわち、特別図柄抽選の大当りには、大入賞口１５の開放動作後、特別図柄抽選の当選確率を低確率にする通常当りと、大入賞口１５の開放動作後、特別図柄抽選の当選確率を高確率にする確変当りとがある。例えば、大当り時の停止図柄が特定の確変図柄であったとき、確変当りとなる。そして、確率変動モードでは、大当り確率が高確率（例えば、１／３０）となり、また、普通図柄抽選の抽選サイクルが短く、しかも、普通電動役物１４ａの開放時間が長いため、持ち玉をほとんど減らすことなく、再び大当りを発生させることができる。
（４）時間短縮モード
このモードは、大当りモードが終了した後に実行される。時間短縮モードでは、特別図柄抽選の大当り確率が低確率であるが、普通図柄抽選の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１１】
［遊技機の基板構成］
次に、パチンコ遊技機１の基板構成について、図５を参照して説明する。この図に示すように、パチンコ遊技機１は、少なくとも主基板２１と、該主基板２１からの演出コマンドに応じて、演出処理を行う周辺基板２２とを備えている。本実施形態の主基板２１は、主制御基板２３、払出制御基板２４及び発射モータ制御基板２５を含み、周辺基板２２は、演出図柄表示制御基板（演出図柄表示制御部）２６、音声制御基板２７及びランプ制御基板２８を含んでいる。
【００１２】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。
【００１３】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）における遊技球の通過を検出するゲートスイッチＳＷ３、大入賞口１５に対する遊技球の入賞を検出する大入賞口スイッチＳＷ４などのセンサ類と、大入賞口１５の特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理、特別図柄表示処理、演出コマンド送信処理、大入賞口開閉処理などを行う。
【００１４】
演出図柄表示制御基板２６には、演出図柄表示装置１９や演出スイッチＳが接続されており、主制御基板２３からの演出コマンドに応じて、演出図柄表示装置１９に演出図柄を変動表示させると共に、演出スイッチＳの操作に応じて、演出図柄表示装置１９にスイッチ連動演出画像を表示させる。また、音声制御基板２７には、スピーカ１０が接続されており、主制御基板２３（又は演出図柄表示制御基板２６）からの演出コマンドに応じて、所定の演出音声をスピーカ１０から出音させる。また、ランプ制御基板２８には、発光表示ランプＬが接続されており、主制御基板２３（又は演出図柄表示制御基板２６）からの演出コマンドに応じて、発光表示ランプＬを点灯動作させる。
【００１５】
［演出図柄表示制御］
次に、本発明が特徴とする演出図柄表示装置１９の演出表示制御（外れ一旦停止制御、外れ確定演出制御、第一の救済当り演出制御及び第二の救済当り演出制御）について、図３及び図６を参照して説明する。尚、本実施形態では、上記の演出表示制御を、スーパーリーチ演出の終了時に実行するが、それ以外のタイミング（例えば、ノーマルリーチ演出の終了時）に実行してもよいことは言うまでもない。
【００１６】
図３に示すように、演出図柄表示制御基板２６は、演出図柄表示装置１９に特別図柄抽選に係る演出図柄を変動表示させると共に、変動表示される演出図柄を、特別図柄抽選の結果に応じて当り配列又は外れ配列で停止させる。また、残りの一図柄が変動している状態で、他の演出図柄が当り配列で停止している場合、大当りへの期待感を高めるために、いわゆるリーチ演出やスーパーリーチ演出を行う。図６に示す画面Ａは、スーパーリーチ演出の終了時を示しており、ここで、演出図柄が外れ配列（例えば、「７６７」）で一旦停止される（外れ一旦停止制御手段）。そして、特別図柄抽選の結果が外れのときは、一旦停止した外れ配列の演出図柄を所定時間後に確定表示させる（外れ確定演出制御手段）。例えば、図６の画面Ｂに示すように、一旦停止した外れ配列の演出図柄をフェードアウトさせた後、図６の画面Ｃに示すように、外れ配列の演出図柄を再表示させる。
【００１７】
一方、特別図柄抽選の結果が当りの場合は、外れ配列で一時停止した演出図柄を当り配列（例えば、「７７７」）に変化させる救済当り演出を行う。救済当り演出は、あらかじめ複数種類用意され、演出スイッチＳの操作の有無に応じて、適用する救済当り演出が切り換えられる。つまり、演出図柄が外れ配列で一旦停止した後、所定時間内に演出スイッチＳの操作が有り、かつ、特別図柄抽選の結果が当りのときは、一旦停止した外れ配列の演出図柄を、第一の救済当り演出を用いて当り配列にする（第一の救済当り演出制御手段）。例えば、図６の画面Ｄに示すように、演出スイッチＳの操作に応じて、画面上に複数の星型図柄を降らせた後、図６の画面Ｅに示すように、降りそそぐ星型図柄の数を増やし、しかる後、図６の画面Ｆに示すように、当り配列の演出図柄を表示させる。
【００１８】
また、演出図柄が外れ配列で一旦停止した後、所定時間内に演出スイッチＳの操作が無く、かつ、特別図柄抽選の結果が当りのときは、一旦停止した外れ配列の演出図柄を、第二の救済当り演出を用いて当り配列にする（第二の救済当り演出制御手段）。例えば、図６の画面Ｇに示すように、一旦停止した外れ配列の演出図柄をフェードアウトさせた後、図６の画面Ｈに示すように、外れ配列の演出図柄を再表示させ、さらに、再表示させた外れ配列の演出図柄において、中図柄を再変動させ、図６の画面Ｉに示すように、当り配列の演出図柄を表示させる。このようにすると、演出スイッチＳの操作の有無に応じて演出内容を大きく相違させることができるので、演出スイッチＳの操作率を高めることができる。しかも、演出図柄が外れ配列で停止した後における演出スイッチＳの操作に応じて救済当り演出を行うので、仮に大当りにならなくても、遊技者のがっかり感が増幅することはない。
【００１９】
次に、上記のような演出表示を実現するための制御手順について、図７を参照して説明する。この図に示すように、演出図柄表示制御基板２６では、特定スーパーリーチの演出終了を判断し（Ｓ１）、該判断結果がＹＥＳの場合は、変動している演出図柄を外れ配列で一旦停止させる（Ｓ２：外れ一旦停止制御手段）。次に、特別図柄抽選の結果を判断し（Ｓ３）、該判断結果が外れの場合は、一旦停止した外れ配列の演出図柄を確定表示させる（Ｓ４：外れ確定演出制御手段）。一方、特別図柄抽選の結果が当りの場合は、Ｔ時間の経過及び演出スイッチＳの操作を判断する（Ｓ５、Ｓ６）。そして、Ｔ時間内に演出スイッチＳが操作された場合は、一旦停止した外れ配列の演出図柄を、第一の救済当り演出を用いて当り配列にし（Ｓ７：第一の救済当り演出制御手段）、また、Ｔ時間内に演出スイッチＳの操作が無い場合は、一旦停止した外れ配列の演出図柄を、第二の救済当り演出を用いて当り配列にする（Ｓ８：第二の救済当り演出制御手段）。
【００２０】
叙述の如く構成された本発明の実施形態によれば、特別図柄抽選に係る演出図柄を変動表示する演出図柄表示装置１９と、該演出図柄表示装置１９を表示制御する演出図柄表示制御基板２６と、遊技者によって操作される演出スイッチＳとを備えるパチンコ遊技機１において、演出図柄表示制御基板２６は、変動している演出図柄を外れ配列で一旦停止させる外れ一旦停止制御手段と、特別図柄抽選の結果が外れのとき、一旦停止した外れ配列の演出図柄を確定させる外れ確定演出制御手段と、演出図柄が外れ配列で一旦停止した後、所定時間内に演出スイッチＳの操作が有り、かつ、特別図柄抽選の結果が当りのとき、一旦停止した外れ配列の演出図柄を、第一の救済当り演出を用いて当り配列にする第一の救済当り演出制御手段と、演出図柄が外れ配列で一旦停止した後、所定時間内に演出スイッチＳの操作が無く、かつ、特別図柄抽選の結果が当りのとき、一旦停止した外れ配列の演出図柄を、第二の救済当り演出を用いて当り配列にする第二の救済当り演出制御手段とを備えるので、演出スイッチＳの操作の有無に応じて演出内容を大きく相違させることができ、その結果、演出スイッチＳの操作率を高めることができる。しかも、演出図柄が外れ配列で停止した後における演出スイッチＳの操作に応じて救済当り演出を行うので、仮に大当りにならなくても、遊技者のがっかり感が増幅することはない。
【００２１】
尚、本発明は、前記実施形態に限定されないことは勿論であり、例えば、パチンコ遊技機以外の遊技機（スロットマシンなど）でも実施できることは言うまでもない。
【図面の簡単な説明】
【００２２】
【図１】パチンコ遊技機の正面図である。
【図２】パチンコ遊技機の背面図である。
【図３】遊技盤の正面図である。
【図４】パチンコ遊技機の遊技モードを示すフローチャートである。
【図５】パチンコ遊技機の基板構成を示すブロック図である。
【図６】演出図柄表示装置における画面の遷移を示す説明図である。
【図７】救済当り演出処理の処理手順を示すフローチャートである。
【符号の説明】
【００２３】
１    パチンコ遊技機
４    遊技盤
１４  始動口
１５  大入賞口
１８  特別図柄表示装置
１９  演出図柄表示装置
２３  主制御基板
２６  演出図柄表示制御基板
Ｓ    演出スイッチ
【図１】
2007202744.tif 000003
【図２】
2007202744.tif 000004
【図３】
2007202744.tif 000005
【図４】
2007202744.tif 000006
【図５】
2007202744.tif 000007
【図６】
2007202744.tif 000008
【図７】
2007202744.tif 000009